(57)【要約】【課題】ブランドの反響の要因となる広告量とブログ記事の件数とを同時に出力して、ブランドランク評価を支援することのできるブランドランク評価システムおよび方法を提供する。【解決手段】ブログデータ収集部２３ｂがインターネット１１の所定のブログサイト１２−１〜１２−ｎからブログデータを収集し、ブログデータベース２５にブログデータを記憶する。またブランドに関する広告データを広告データベース２４に記憶する。検索処理部２２ｂが検索キーワードに基づいて、所定の期間における広告データベース２４から広告データとブログデータベース２５からブログデータとを取得し、表示処理部２２ａがキーワードに関連する広告量およびブログ記事の件数の推移を同時に表示する。【選択図】図２
2009123015.tif 000002
【特許請求の範囲】
【請求項１】
ブランドに関する広告データを記憶する広告データベースと、
インターネット上の所定のブログサイトからブログデータを収集するブログデータ収集手段と、
前記ブログデータ収集手段により収集された前記ブログデータを記憶するブログデータベースと、
検索キーワードに基づいて、前記広告データベースから所定の期間における前記検索キーワードに関連する前記広告データと、前記ブログデータベースから所定の期間における前記検索キーワードに関連する前記ブログデータと、を検索する検索処理手段と、
前記検索処理手段により検索された前記広告データに基づく広告量およびブログデータに基づくブログ記事の件数の推移を同時に表示する表示処理手段と、
を備えることを特徴とするブランドランク評価システム。
【請求項２】
前記広告量は、前記広告データに基づくテレビ番組およびテレビコマーシャルの放映時間であることを特徴とする請求項１記載のブランドランク評価システム。
【請求項３】
前記表示処理手段は、さらに前記広告データに基づく前記テレビ番組および前記テレビコマーシャルの詳細情報と、前記ブログデータベースに基づく前記ブログの詳細情報と、を表示することを特徴とする請求項２記載のブランドランク評価システム。
【請求項４】
単語とこの単語に対応する評価係数を記憶する評価辞書データベースと、
前記評価辞書データベースに記憶される前記評価係数に基づいて、前記ブログ記事の評価度を算出する評価度算出手段と、
前記評価度算出手段により算出された前記評価度に応じて前記ブランドのランク評価を判定する評価判定手段と、
を備えることを特徴とする請求項３記載のブランドランク評価システム。
【請求項５】
前記ブログ記事に含まれる共起語を計数する共起語計数手段と、
前記共起語計数手段により計数された前記共起語の頻出頻度の多いものから前記ブログの詳細情報を表示する表示ソート手段と、
を備えることを特徴とする請求項３または４記載のブランドランク評価システム。
【請求項６】
広告データベースが、ブランドに関する広告データを記憶するステップと、
ブログデータ収集手段が、インターネット上の所定のブログサイトからブログデータを収集するステップと、
ブログデータベースが、前記ブログデータ収集手段により収集された前記ブログデータを記憶するステップと、
検索処理手段が、検索キーワードに基づいて、所定の期間における前記検索キーワードに関連する前記広告データと前記ブログデータとを検索するステップと、
表示処理手段が、前記検索処理手段により検索された前記広告データに基づく広告量およびブログデータに基づくブログ記事の件数の推移を同時に表示するステップと、
を含むことを特徴とするブランドランク評価方法。
【請求項７】
前記広告量は、前記広告データに基づくテレビ番組およびテレビコマーシャルの放映時間であることを特徴とする請求項６記載のブランドランク評価方法。
【請求項８】
前記表示処理手段が、さらに前記広告データに基づく前記テレビ番組および前記テレビコマーシャルの詳細情報と、ブログデータベースに基づく前記ブログの詳細情報と、を表示するステップと、
を含むことを特徴とする請求項７記載のブランドランク評価方法。
【請求項９】
評価辞書データベースが、単語とこの単語に対応する評価係数を記憶するステップと、
評価度算出手段が、前記評価辞書データベースに記憶される前記評価係数に基づいて、前記ブログ記事の評価度を算出するステップと、
評価判定手段が、前記評価度算出手段により算出された前記評価度に応じて前記ブランドのランク評価を判定するステップと、
を含むことを特徴とする請求項８記載のブランドランク評価方法。
【請求項１０】
共起語計数手段が、前記ブログ記事の共起語を計数するステップと、
表示ソート手段が、前記共起語計数手段により計数された前記共起語の頻出頻度の多いものから前記ブログの詳細情報を表示するステップと、
を含むことを特徴とする請求項８または９記載のブランドランク評価方法。
【発明の詳細な説明】
【技術分野】
【０００１】
本発明はブランドランク評価システムおよび方法に関し、特に、ブランドに関する反響の要因となるメディアにおける広告量とインターネットにおけるブログ（ウェブログ）記事の件数とを同時に表示して、ブランドランク評価を支援することのできるブランドランク評価システムおよび方法に関する。
【背景技術】
【０００２】
近年、インターネット上には数多くブログサイトが存在している。このようなブログサイトは日記形式で簡易に記事を書き込むことができるため、単なる日記という発想のみならず、世間の関心の高い物事に対する個人的な意見や品評を公開したり、団体が主催するイベントを告知したりすることにも利用されている。これらのブログの中には、各種商品やサービス等のブランドに関して評価する記事も多数ある。
【０００３】
例えば、新商品の発売前や発売開始直後には、その商品のテレビコマーシャルが多く放映されたり、その商品を紹介する関連情報が情報番組やニュース番組等においても頻繁に放送されることがある。テレビコマーシャル等で新商品が取り上げられると、上述したブログサイトにはその新商品に対する書き込みが急激に多くなる。例えば、商品が飲料水であれば、味や価格、パッケージ良し悪し等のコメント、さらにはコマーシャルの出演者やＢＧＭ等に関する様々な反響が書き込まれる。これらの記事内容は消費者の商品購入の目安となるだけではなく、商品・サービスの提供者や市場全体の商品開発や販売戦略を行う上での重要なマーケティング情報となる。
【０００４】
このようにインターネットを利用して商品の評価を行う既存の方法・システムとして、下記に示す特許文献１，２に開示されるようなものがある。例えば、特許文献１に開示されるマーケティング方法・システムにおいては、商品やサービスに対するキャンペーンを店頭等で実施すると共に、商品やサービスを提供する事業者のインターネット上のキャンペーン用サイトに消費者を誘導し、サイト上で商品等に関連するアンケートを実施するものである。そして、これらのアンケート結果を事業者のコンピュータで集計し、統計的に商品に対する評価、分析を行うことでマーケティングに活用するものである。
【０００５】
また特許文献２に開示される商品の開発販売方法においては、商品化する製品・サービスに関するキーワードを作成して、インターネットを通じて、商用データベースや検索サイト、企業外の一般のホームページサイト等から上述したキーワードが含まれる関連情報を取得するものである。これにより、製品・サービスが属する市場における消費者のニーズと企業側のニーズとの整合を取りながら、市場で占有率の高い製品・サービスを開発することを目的とするものである。
【特許文献１】特開２００５−３１６９２３号公報
【特許文献２】特開２００３−６４１１号公報
【発明の開示】
【発明が解決しようとする課題】
【０００６】
しかしながら、上述したような既存の評価方法・システムにおいては、市場の情報を取得して、商品開発等に反映することができるものの、それらの情報の発信元、つまり反響の要因となるもの（例えばテレビコマーシャル、情報番組等）が何であるかを具体的に特定することができなかった。また反響の要因がどのくらいあったか（例えばテレビコマーシャル、情報番組等の放映時間）を特定することはできなかった。このため、ブランドに対するランクを正確に評価することが困難であった。
【０００７】
そこで、本発明の目的は、上記の課題に鑑み、ブランドに関する反響の要因となるメディアにおける広告量とインターネットにおけるブログ記事の件数とを同時に出力して、ブランドランク評価を支援することのできるブランドランク評価システムおよび方法を提供することにある。
【課題を解決するための手段】
【０００８】
本発明に係るブランドランク評価システムおよび方法は、上記の目的を達成するために、次のように構成される。
【０００９】
第１のブランドランク評価システム（請求項１に対応）は、ブランドに関する広告データを記憶する広告データベースと、インターネット上の所定のブログサイトからブログデータを収集するブログデータ収集手段と、ブログデータ収集手段により収集されたブログデータを記憶するブログデータベースと、検索キーワードに基づいて、広告データベースから所定の期間における検索キーワードに関連する広告データと、ブログデータベースから所定の期間における検索キーワードに関連するブログデータと、を検索する検索処理手段と、検索処理手段により検索された広告データに基づく広告量およびブログデータに基づくブログ記事の件数の推移を同時に表示する表示処理手段と、を備えることを特徴とする。
【００１０】
上記の構成によれば、ブランドに関する広告量とブログ記事の件数とを同時に表示するため、両者を対比することにより反響の要因となった広告と広告量とに対する反響の件数を特定して、ブランドのランクを正確に評価することが可能となる。
【００１１】
第２のブランドランク評価システム（請求項２に対応）は、上記の構成において、好ましくは、広告量は、広告データに基づくテレビ番組およびテレビコマーシャルの放映時間であることを特徴とする。
【００１２】
上記の構成によれば、広告量をテレビ番組およびテレビコマーシャルの放映時間とするため、反響の要因の量を具体的な数値として把握した上で、ブランドのランクを正確に評価することが可能となる。
【００１３】
第３のブランドランク評価システム（請求項３に対応）は、上記の構成において、好ましくは、表示処理手段は、さらに広告データに基づくテレビ番組およびテレビコマーシャルの詳細情報と、ブログデータベースに基づくブログの詳細情報と、を表示することを特徴とする。
【００１４】
上記の構成によれば、テレビ番組およびテレビコマーシャルの詳細情報とブログの詳細情報とを表示することができるため、具体的な反響の内容と、その要因とを正確に把握した上で、ブランドのランクを正確に評価することが可能となる。
【００１５】
第４のブランドランク評価システム（請求項４に対応）は、上記の構成において、好ましくは、単語とこの単語に対応する評価係数を記憶する評価辞書データベースと、評価辞書データベースに記憶される評価係数に基づいて、ブログ記事の評価度を算出する評価度算出手段と、評価度算出手段により算出された評価度に応じてブランドのランク評価を判定する評価判定手段と、を備えることを特徴とする。
【００１６】
上記の構成によれば、ブランドのランクが例えばポジティブな評価であるのか、アクティブな評価であるのかを判定することができるため、ブランドのランクを評価する目安を把握した上で、ブランドのランクを正確に評価することが可能となる。
【００１７】
第５のブランドランク評価システム（請求項５に対応）は、上記の構成において、好ましくは、ブログ記事に含まれる共起語を計数する共起語計数手段と、共起語計数手段により計数された共起語の頻出頻度の多いものからブログの詳細情報を表示する表示ソート手段と、を備えることを特徴とする。
【００１８】
上記の構成によれば、ブログ記事を共起語の出現頻度の多い順番にソートして表示することにより、ブランドに対する評価をより多く表現しているブログ記事の内容に基づいて、ブランドのランクを正確に評価することが可能となる。
【００１９】
第１のブランドランク評価方法（請求項６に対応）は、広告データベースが、ブランドに関する広告データを記憶するステップと、ブログデータ収集手段が、インターネット上の所定のブログサイトからブログデータを収集するステップと、ブログデータベースが、ブログデータ収集手段により収集されたブログデータを記憶するステップと、検索処理手段が、検索キーワードに基づいて、所定の期間における検索キーワードに関連する広告データとブログデータとを検索するステップと、表示処理手段が、検索処理手段により検索された広告データに基づく広告量およびブログデータに基づくブログ記事の件数の推移を同時に表示するステップと、を含むことを特徴とする。
【００２０】
上記の構成によれば、ブランドに関する広告量とブログ記事の件数とを同時に表示するため、両者を対比することにより反響の要因となった広告と広告量とに対する反響の件数を特定して、ブランドのランクを正確に評価することが可能となる。
【００２１】
第２のブランドランク評価方法（請求項７に対応）は、広告量は、広告データに基づくテレビ番組およびテレビコマーシャルの放映時間であることを特徴とする。
【００２２】
第３のブランドランク評価方法（請求項８に対応）は、表示処理手段が、さらに広告データに基づくテレビ番組およびテレビコマーシャルの詳細情報と、ブログデータベースに基づくブログの詳細情報と、を表示するステップと、を含むことを特徴とする。
【００２３】
第４のブランドランク評価方法（請求項９に対応）は、評価辞書データベースが、単語とこの単語に対応する評価係数を記憶するステップと、評価度算出手段が、評価辞書データベースに記憶される評価係数に基づいて、ブログ記事の評価度を算出するステップと、評価判定手段が、評価度算出手段により算出された評価度に応じてブランドのランク評価を判定するステップと、を含むことを特徴とする。
【００２４】
第５のブランドランク評価方法（請求項１０に対応）は、共起語計数手段が、ブログ記事の共起語を計数するステップと、表示ソート手段が、共起語計数手段により計数された共起語の頻出頻度の多いものからブログの詳細情報を表示するステップと、を含むことを特徴とする。
【発明の効果】
【００２５】
本発明によれば、次の効果を奏する。
【００２６】
本発明によれば、ブランドに関する広告量とブログの記事の件数とを同時に表示するため、両者を対比することにより反響の要因となった広告と広告量とに対する反響の件数を特定して、ブランドのランクを正確に評価することができる。
【００２７】
広告量をテレビ番組およびテレビコマーシャルの放映時間とするため、反響の要因の量を具体的な数値として把握した上で、ブランドのランクを正確に評価することができる。
【００２８】
テレビ番組およびテレビコマーシャルの詳細情報とブログの詳細情報とを表示することができるため、具体的な反響の内容と、その要因とを正確に把握した上で、ブランドのランクを正確に評価することができる。
【００２９】
ブランドのランクがポジティブな評価であるのか、アクティブな評価であるのかを判定することができるため、ブランドのランクを評価する目安を把握した上で、ブランドのランクを正確に評価することができる。
【００３０】
ブログ記事を共起語の出現頻度の多い順番にソートして表示することにより、ブランドに対する評価をより多く表現しているブログ記事の内容に基づいて、ブランドのランクを正確に評価することができる。
【発明を実施するための最良の形態】
【００３１】
以下に、本発明の好適な実施形態（実施例）を添付図面に基づいて説明する。
【００３２】
まず、図１を参照して、本発明に係るブランドランク評価システムの代表的な実施形態を説明する。図１は、本発明に係るブランドランク評価システムの代表的な実施形態を説明する模式図である。
【００３３】
図１に示すブランドランク評価システム１０は、ルータやゲートウェイを介してインターネット１１に接続される。このインターネット１１には、ブランドランク評価システム１０の他に、ブログサイト１２−１〜１２−ｎやインターネットプロバイダ等を介して一般ユーザが利用するユーザ端末１３−１〜１３−ｎが接続されている。ブログサイト１２−１〜１２−ｎは、日々更新される日記形式な書き込みが可能なＷｅｂサイトの一つであり、ユーザ端末１３−１〜１３−ｎ等から一般ユーザによってアクセスされて記事の書き込みや閲覧が行われる。
【００３４】
続いて、図２を参照して、本発明に係るブランドランク評価システム１０の構成を説明する。図２は、本発明に係るブランドランク評価システムの構成を示すブロック図である。
【００３５】
図２に示すブランドランク評価システム１０は、ＬＡＮ２１、アプリケーションサーバ２２、解析サーバ２３、広告データベース２４、ブログデータベース２５、解析辞書データベース２６および評価辞書データベース２７を備えて構成される。
【００３６】
ＬＡＮ２１は、本システムを構成する各サーバおよびデータベースが接続される小規模ネットワークであり、上述したインターネット１１に接続される。
【００３７】
アプリケーションサーバ２２は、主に表示・入力インターフェイス処理、検索処理を行うものであり、表示処理部２２ａ、検索処理部２２ｂ、時間・件数計数部２２ｃおよび表示ソート部２２ｄから構成される。
【００３８】
表示処理部２２ａは、ユーザ端末１３−１〜１３−ｎに対してブランドに関連する検索キーワードを入力したり、検索結果を表示する画面を生成するインターフェイス機能を有するものである。
【００３９】
検索処理部２２ｂは、表示処理部２２ａを介して入力された検索キーワードを取得し、広告データベース２４から検索キーワードに関連する広告データを取得したり、ブログデータベース２５から検索キーワードに関連するブログデータを取得するものである。さらに、評価処理部２３ｄからブログデータのブログ記事に対する評価データ、共起語数を取得するものである。
【００４０】
時間・件数計数部２２ｃは、検索処理部２２ｂで検索された広告データやブログデータの件数や、広告データの放映時間等を計数するものである。
【００４１】
表示ソート部２２ｄは、後述する共起語計数部２３ｇで計数されるブログサイトのブログデータに含まれる単語の共起語数に基づいて、表示される検索結果（ブログサイトのブログデータ）の順番をソートするものである。
【００４２】
解析サーバ２３は、主に広告データやブログデータの収集・管理、ブログデータの解析・評価を行うものである。解析サーバ２３は、広告データ取得部２３ａ、ブログデータ収集部２３ｂ、ブログデータ解析部２３ｃ、評価処理部２３ｄから構成される。
【００４３】
広告データ取得部２３ａは、テレビコマーシャルおよびテレビ番組の放送時間や内容等の広告データを取得し、広告データを広告データベース２４に記憶させるものである。これらの広告データは、これらの広告データを提供する事業者等からオンラインで所定の時刻に取得したり、ＤＶＤやＭＯ等の媒体により読み込むものであっても良い。また広告データの入手頻度は、広告データが例えばテレビコマーシャルおよびテレビ番組に関するものであれば１日当たり１回であったり、１週間分のデータを一括して更新するものであっても良い。
【００４４】
なお広告データベース２４に記憶される広告データは、例えばテレビ放送局、放送日、放送開始・終了時刻、放送時間、コマーシャル・テレビ番組のタイトル、ジャンル、放送内容、出演者、ＢＧＭ、キーワード等のフィールドからレコードが構成される。これらの広告データの中からブランドに関連する検索キーワードが含まれるデータを検索して、ヒットした広告データの放送時間や内容等を把握することができる。例えば、検索キーワードが「ジュース１００％」であれば、「ジュース１００％」をキーにして、広告データの番組のジャンル、放送内容、出演者、ＢＧＭ等のフィールドを検索する。これにより、「ジュース１００％」に関連するテレビコマーシャルやテレビ番組の放送時間、内容等を特定することができる。
【００４５】
ブログデータ収集部２３ｂは、上述したブログサイト１２−１〜１２−ｎからＨＴＭＬデータ等を取得し、取得したＨＴＭＬデータ中の所定のタグ内に記述されているブログ記事本文、ブログ記事タイトル、書き込み日時等を抽出したり、記事ＵＲＬアドレス、ブログサイトＵＲＬアドレス等を特定し、これらのブログデータをブログデータベース２５に記憶するものである。予めブログデータを収集するブログサイト１２−１〜１２−ｎを設定しておくことができるように構成しておき、これらのブログサイトには、例えば書き込みやアクセスが多い知名なブログサイトや、新商品に対して一般ユーザが評価する専門ブログサイトを設定しておくことが好ましい。またサイト検索エンジン等を用いて、新しく開設されたブログサイトを自動的に検索して、多数のブログサイトからブログデータを収集するように構成しても良い。
【００４６】
ブログデータ解析部２３ｃは、検索処理部２２ｂによりブログデータベース２５から取得されたブログ記事本文を文章単位に分割する。本文に含まれる句点（。）や感嘆符（！）、記号の組み合わせにより顔の表情等を表現するエモティコン等の記号を文の終端であると判断して、文章単位に分割する。さらに、ブログデータ解析部２３ｃは、分割された文章を解析辞書データベース２６に基づいて形態素解析処理により単語単位に分割する。解析辞書データベース２６には、一般的な単語データが記憶されており、この単語データに基づいて単語単位に分割する。また解析辞書データベース２６にブランド名等の固有名詞等を追加することにより、解析精度をより高めることが可能となる。
【００４７】
評価処理部２３ｄは、ブログデータ解析部２３ｃにより分割された単語の内容から、ブランドに対するランク評価を判定する。評価辞書データベース２７は、単語とその単語に対応する評価係数が記憶されている。例えば「おいしい」、「うまい」等のような形容詞に対しては、評価係数を＋１に設定する。また「まずい」、「だめ」等のような形容詞に対しては、評価係数を−１に設定する。さらに、「おいしい」の前に、「すごく」、「とても」等の副詞が含まれている場合には、評価係数を「＋２」に設定することにより、評価精度をより高めることが可能となる。評価度算出部２３ｅは、ブログ記事の各単語に対する評価係数を足し合わせて評価値を算出する。
【００４８】
評価判定部２３ｆは、上述した評価値に基づいて、ブランドを良く評価するポジティブ判定値を過える場合には「ポジティブ」、アクティブのアクティブ判定値未満である場合には「アクティブ」、両者に当てはまらない場合には、「中間層」のように評価に判定する。各判定値は、適宜な値を設定すれば良く、単に「ポジティブ」、「アクティブ」、「中間層」に分類して判定する以外にも、「イケテル度５０％」のように百分率で判定したり、星マークの数で「５つ星ランク」のように判定しても良い。
【００４９】
共起語計数部２３ｇは、ブログ記事に含まれる共起語の数を計数するものである。ここでいう共起語とは、ブログ記事の文章において、検索キーワードで指定されたブランドの名称等と一緒に用いられた単語である。例えば「Ａジュースは甘くて、おいしい。」、「Ａジュースは甘いところ良いが、まずい。」という文章から、ブランドの名称である「Ａジュース」と一緒に用いられた「甘い」、「おいしい」、「まずい」等の共起語の数を計数して、表示ソート部２２ｄはこれらの共起語の出現頻度の多い順番に検索結果（ブログ記事）をソートする。これにより、表示処理部２２ａは、ブランドに対する評価をより多く表現しているブログ記事を優先して表示することができる。なお、共起語の数を計数する際に、上述した評価辞書データベース２７に記憶されている「おいしい」、「うまい」等の単語のデータを参照するようにしても良い。
【００５０】
続いて、図３〜図８を参照して、検索キーワードに関連する広告データとブログデータの表示方法を説明する。図３は検索キーワード入力・検索結果表示画面を示すイメージであり、図４は検索キーワード入力・検索結果表示画面のブログ総数推移表示欄を示す拡大イメージであり、図５は検索キーワード入力・検索結果表示画面の広告放映時間推移表示部を示す拡大イメージであり、図６〜図８は検索キーワード入力・検索結果表示画面の詳細検索結果表示欄を示す拡大イメージである。
【００５１】
図３に示す検索キーワード入力・検索結果表示画面３１は、検索キーワードを入力し、検索結果を表示する画面であり、本システムにアクセスするユーザ端末１３−１〜１３−ｎに表示されるものである。なお、本画面に遷移する前画面に、本システムのユーザログイン画面、専用の検索キーワード入力画面、操作マニュアル画面等を設けても良い。
【００５２】
検索キーワード入力部３２ａ〜３２ｄは検索キーワードを入力する箇所である。テキストボックス等になっており、検索したいブランド名やブランドに関連する語句を入力するものである。具体的に検索キーワードとして、商品（製品）の名称、その商品の特徴を表す語句、広告で使用されているキャッチフレーズ、広告に出演しているタレントの名前等の様々な関連語句を指定することができる。検索キーワード入力部３２ａ〜３２ｄのいずれか１つ入力されていれば検索は可能で、最大４つまでのキーワードを一度に検索することが可能である。検索キーワード入力部の数は必要に応じてこれ以上増やしても良い。またＡＮＤ検索、ＯＲ検索、ＮＯＴ検索、絞り込み検索等の検索オプション機能を設けても良い。
【００５３】
検索ボタン３３は検索キーワード入力部３２ａ〜３２ｄに検索キーワードを入力後、検索を実行するためのボタンである。
【００５４】
ブログ総数推移表示欄３４は、検索キーワード入力部３２ａ〜３２ｄに入力された検索キーワードが含まれるブログ記事の件数を表示するものである。広告放映時間推移表示部３５は、検索キーワード入力部３２ａ〜３２ｄに入力された検索キーワードに関連したテレビコマーシャルおよびテレビ番組の放映時間を表示するものである。
【００５５】
詳細検索結果表示欄３６，３７は、各キーワードに関連したテレビコマーシャルおよびテレビ番組の詳細情報とブログデータの詳細情報とを表示するものである。詳細検索結果表示欄３６，３７には同じ詳細情報を表示することができ、詳細検索結果表示欄３６，３７の上部のタブを選択することにより、検索キーワード毎に対比して詳細情報を表示することが可能である。
【００５６】
図４に示すようにブログ総数推移表示欄３４には、期間表示欄４１に表示される期間に書き込まれたブログ記事のうち、検索キーワード入力部３２ａ〜３２ｄに入力された検索キーワードに関連するブログ記事の件数の推移を折れ線４３ａ〜４３ｄでそれぞれ表示する。
【００５７】
前月ボタン４４を操作することにより、現在表示されている期間の前月の期間を表示することができる。また次月ボタン４５を操作することにより、現在表示されている期間の次月の期間を表示することができる。なお、総数を表示する期間は月単位に限るものではなく、年単位、１日単位、３か月等に切り変えられるようにしても良い。
【００５８】
折れ線４３ａ〜４３ｄと重ねて選択バー４６が表示されており、この選択バー４６をクリックして左右に移動させることにより、吹き出し領域４７に期間表示欄４１に表示される期間のうちの任意の日の検索キーワード毎のブログ記事の件数を表示することができる。
【００５９】
図５に示すように、広告放映時間推移表示部３５の左側には、ブログ総数推移表示欄３４と同様に期間表示欄５１に表示される期間に放映されたテレビコマーシャルおよびテレビ番組のうち、検索キーワード入力部３２ａ〜３２ｄに入力された検索キーワードに関連するテレビコマーシャルの放映時間の推移を折れ線５２ａ〜５２ｄでそれぞれ表示する。また広告放映時間推移表示部３５の右側には、同様にテレビ番組の放映時間の推移を折れ線５３ａ〜５３ｄでそれぞれ表示する。
【００６０】
また折れ線５２ａ〜５２ｄと重ねて選択バー５４が表示されており、この選択バー５４をクリックして左右に移動させることにより、テレビコマーシャルのキーワード単位放映時間表示欄５６に期間表示欄５１に表示される期間のうちの任意の日の検索キーワード毎のテレビコマーシャルの総放映時間を表示することができる。同様に、折れ線５３ａ〜５３ｄと重ねて表示されている選択バー５５を移動させれば、テレビ番組のキーワード単位放映時間表示欄５７に任意の日の検索キーワード毎のテレビ番組の総放映時間を表示することができる。
【００６１】
図６に示すように、詳細検索結果表示欄３６（３７）のキーワード表示タブ６１ａ、ブログ検索結果表示タブ６２が選択されている場合には、検索キーワード入力部３２ａに入力されている検索キーワードに関連するブログデータが表示される。
【００６２】
ブログ検索結果詳細表示欄６５ａ〜６５ｃには、評価判定部２３ｆにより判定されたブランドに対するランク評価、ブログデータベース２５から取得されたブログデータのブログ記事タイトル、書き込み日時、ブログ記事本文、記事ＵＲＬアドレスを表示する。
【００６３】
内容を良く評価するものであれば「ポジティブ」、内容を悪く評価するものであれば「ネガティブ」、どちらにもあてはまらなければ「中間層」というように、ブログ記事の本文に基づいて評価ランクを表示する。またブログサイト１２−１〜１２−ｎにリンクさせて、記事ＵＲＬアドレスをクリック等することにより、ブログ記事の全文を閲覧するようすることでより詳細の内容を取得することも可能である。
【００６４】
なお、共起語計数部２３ｇで計数された共起語の出現頻度の多い順番に検索結果（ブログ記事）を表示するのみならず、必要に応じてポジティブ、ネガティブ、中間層に関する検索結果だけを選択して表示するようにしても良い。
【００６５】
図７に示すように、詳細検索結果表示欄３６（３７）のキーワード表示タブ６１ｂ、ＴＶＣＭ詳細表示タブ６３が選択されている場合、検索キーワード入力部３２ｂに入力されている検索キーワードに関連するテレビコマーシャルの広告データが表示される。ＴＶＣＭ詳細表示欄６６ａ，６６ｂには、広告データベース２４から取得されたコマーシャルのタイトル、放送日、放送開始時刻、放送時間、キーワード、放送内容等の広告データを表示する。
【００６６】
また図８に示すように、キーワード表示タブ６１ｂ、ＴＶ番組詳細表示タブ６４が選択されている場合、検索キーワード入力部３２ｂに入力されているキーワードに関連するテレビ番組の広告データが表示される。ＴＶ番組詳細表示欄６７ａ，６７ｂは、広告データベース２４から取得されたテレビ番組のタイトル、放送日、放送開始時刻、放送時間、ジャンル、放送内容等の広告データが表示される。
【００６７】
なお、キーワード表示タブ６１ｃを選択すれば、検索キーワード入力部３２ｃに入力されている検索キーワードに関連する検索結果が同様に表示され、キーワード表示タブ６１ｄを選択すれば、検索キーワード入力部３２ｄに入力されている検索キーワードに関連する検索結果が表示される。
【００６８】
続いて、図９を参照して、ブログデータ収集部２３ｂにおけるブログデータの収集処理の流れを説明する。図９は、ブログデータ収集部におけるブログデータの収集処理の流れを示すフローチャートである。
【００６９】
ブログデータ収集部２３ｂは、インターネット１１上の所定のブログサイト１２−１〜１２−ｎからブログデータを取得し（ステップＳ１０１）、取得されたブログデータをブログデータベース２５に記憶させる（ステップＳ１０２）。全てのブログサイト１２−１〜１２−ｎからブログデータを取得していなければ（ステップＳ１０３のＮＯ）、Ｓ１０１に戻り上述した処理を繰り返す。そして全てのブログサイト１２−１〜１２−ｎからブログデータを取得したならば（ステップステップＳ１０３のＹＥＳ）、再びＳ１０１に戻り、随時ブログサイト１２−１〜１２−ｎからブログデータの収集を行う。
【００７０】
続いて、図１０を参照して、ブランドランク評価システム１０における検索処理の流れを説明する。図１０は、ブランドランク評価システムにおける検索処理の流れを示すフローチャートである。
【００７１】
検索処理部２２ｂは、ブログデータベース２５から検索キーワードが含まれるブログデータを取得し（ステップＳ２０１）、時間・件数計数部２２ｃは検索対象期間のヒット件数を算出する（ステップＳ２０２）。ブログデータ解析部２３ｃは、ブログデータのＨＴＭＬデータから本文を抽出した後（ステップＳ２０３）、本文を文章区切りした後、単語単位に分割する（ステップＳ２０４）。評価処理部２３ｄは、評価辞書データベース２７の評価係数に基づいて評価処理を行う（ステップＳ２０５）。
【００７２】
続いて、検索処理部２２ｂは、広告データベース２４から検索キーワードが含まれる広告データを取得するとともに（ステップＳ２０６）、時間・件数計数部２２ｃは検索対象期間のヒット件数を算出する（ステップＳ２０７）。また時間・件数計数部２２ｃは期間単位の広告データの総放映時間を算出する（ステップＳ２０８）。
【００７３】
検索処理部２２ｂは、全ての検索キーワードに関する広告データおよびブログデータを取得するまで（ステップＳ２０９のＮＯ）、ステップＳ２０１に戻り処理を繰り返す。全ての広告データおよびブログデータを取得したら（ステップＳ２０９のＹＥＳ）、表示処理部２２ａは、検索処理部２２ｂで抽出されたブログデータを表示するとともに（ステップＳ２１０）、広告データを表示する（ステップＳ２１１）。
【００７４】
続いて、図１１を参照して、評価処理部２３ｄにおける評価処理の流れを説明する。図１１は、評価処理部における評価処理の流れを示すフローチャートである。
【００７５】
評価度算出部２３ｅは、ブログデータ解析部２３ｃで分割された単語を評価辞書データベース２７に記憶される評価係数を取得し、これらを足し合わせて評価度を算出する（ステップＳ３０１）。分割された全ての単語の評価係数を足し合わせるまで（ステップＳ３０２のＮＯ）、Ｓ３０１に戻り処理を繰り返す。全ての単語の評価係数を加算し、評価度が確定したならば（ステップＳ３０２のＹＥＳ）、評価判定部２３ｆは評価度が所定のボジティブ判定値を超える場合には（ステップＳ３０３のＹＥＳ）、ブランドランクをボジティブであると判定する（ステップＳ３０４）。また評価判定部２３ｆは、評価度がボジティブ判定値を超えていなく（ステップＳ３０３のＮＯ）、所定のネガティブ判定値未満である場合には（ステップＳ３０５のＹＥＳ）、ブランドランクをネガティブであると判定する（ステップＳ３０６）。いずれでもない場合には（ステップＳ３０５のＮＯ）、ブランドランクを中間層と判定する（ステップＳ３０７）。ステップＳ３０４，Ｓ３０６，Ｓ３０７で評価を判定した後に、共起語計数部２３ｇは単語の共起語数を計数する（ステップＳ３０８）。
【００７６】
なお、上記の本実施例ではブログデータのブログ記事の総数と広告データの広告放映時間とを比較するものであったが、比較となるデータはテレビの広告放映時間に限らない。例えば、新聞広告の掲載回数、ラジオコマーシャルの放送時間、インターネットサイトでの広告へのアクセス回数、交通機関等の車内広告や駅構内の広告期間等であっても良い。これら以外にも、商品・サービスを実際に利用しているエンドユーザ数や街頭等における商品に対するアンケート結果のデータ等を用いることもできる。
【００７７】
また本システムが扱うことができるブランドは、単に商品（製品）に限るものではなく、企業や政党等の団体、タレントや著名人等の人物等であっても良い。例えば、企業に対するイメージやタレントに対する人気度といったブランドランク評価も支援することができる。上述したように、検索キーワードにおいても、ブランド名のみならず、人名やキャッチフレーズ等のブランドに関連する様々な語句を指定することができるので、本システムを用いて幅広いジャンルのブランドに対するランク評価支援を実現することができる。
【００７８】
以上の実施例で説明された本システムの構成、検索・評価処理部等の処理の流れについては本発明が理解・実施できる程度に概略的に示したものにすぎず、ブランドランク評価を行うための判定値等の各数値についても例示にすぎない。従って本発明は、説明された実施形態に限定されるものではなく、特許請求の範囲に示される技術的思想の範囲を逸脱しない限り様々な形態に変更することができる。
【産業上の利用可能性】
【００７９】
本発明は、ブランドの反響の要因となるメディアにおける広告量とインターネットにおけるブログ記事の件数とを同時に出力して、ブランドランク評価を支援することのできるブランドランク評価システムであり、主に商品企画、販売促進のためのマーケティング調査で利用される。
【図面の簡単な説明】
【００８０】
【図１】本発明に係るブランドランク評価システムの代表的な実施形態を説明する模式図である。
【図２】本発明に係るブランドランク評価システムの構成を示すブロック図である。
【図３】検索キーワード入力・検索結果表示画面を示すイメージである。
【図４】検索キーワード入力・検索結果表示画面のブログ総数推移表示欄を示す拡大イメージである。
【図５】検索キーワード入力・検索結果表示画面の広告放映時間推移表示部を示す拡大イメージである。
【図６】検索キーワード入力・検索結果表示画面の詳細検索結果表示欄（ブログ検索結果表示タブ選択時）を示す拡大イメージである。
【図７】検索キーワード入力・検索結果表示画面の詳細検索結果表示欄（ＴＶＣＭ詳細表示タブ選択時）を示す拡大イメージである。
【図８】検索キーワード入力・検索結果表示画面の詳細検索結果表示欄（ＴＶ番組結果表示タブ選択時）を示す拡大イメージである。
【図９】ブログデータ収集部におけるブログデータの収集処理の流れを示すフローチャートである。
【図１０】ブランドランク評価システムにおける検索処理の流れを示すフローチャートである。
【図１１】評価処理部における評価処理の流れを示すフローチャートである。
【符号の説明】
【００８１】
１０                  ブランドランク評価システム
１１                  インターネット
１２−１〜１２−ｎ    ブログサイト
１３−１〜１３−ｎ    ユーザ端末
２１                  ＬＡＮ
２２                  アプリケーションサーバ
２２ａ                表示処理部
２２ｂ                検索処理部
２２ｃ                時間・件数計数部
２２ｄ                表示ソート部
２３                  解析サーバ
２３ａ                広告データ取得部
２３ｂ                ブログデータ収集部
２３ｃ                ブログデータ解析部
２３ｄ                評価処理部
２３ｅ                評価度算出部
２３ｆ                共起語計数部
２４                  広告データベース
２５                  ブログデータベース
２６                  解析辞書データベース
２７                  評価辞書データベース
【図１】
2009123015.tif 000003
【図２】
2009123015.tif 000004
【図３】
2009123015.tif 000005
【図４】
2009123015.tif 000006
【図５】
2009123015.tif 000007
【図６】
2009123015.tif 000008
【図７】
2009123015.tif 000009
【図８】
2009123015.tif 000010
【図９】
2009123015.tif 000011
【図１０】
2009123015.tif 000012
【図１１】
2009123015.tif 000013